(57)【要約】【課題】ＡＣ／ＤＣ変換部および選択部と、ＤＣ／ＤＣ変換部の各設置作業を共通に行なうことができ、設置に際しての作業性を大幅に改善する。【解決手段】中継用電源装置５を構成する整流部６，選択部７およびＤＣ／ＤＣコンバータ１１の全てを、一つのパッケージ本体２１に収容する。これにより、商用交流電源１からの交流入力電圧と、局舎電源２からの直流入力電圧がそれぞれ供給される箇所に、パッケージ本体２１を設置して据付けや配線などを行なえば、ＤＣ／ＤＣコンバータ１１を含めた一連の設置作業を一度に行なうことができる。また、ＤＣ／ＤＣコンバータ１１からパッケージ本体２１内に放散する熱が、ファン２５によって速やかに外部に放出される。【選択図】    図１
2005020883.tif 000002
【特許請求の範囲】
【請求項１】
商用交流電源からの交流入力電圧と、直流電源からの直流入力電圧がそれぞれ供給される箇所に設けられ、
前記交流入力電圧を第１の直流電圧に変換するＡＣ／ＤＣ変換部と、
前記直流入力電圧を第２の直流電圧に変換するＤＣ／ＤＣ変換部と、
前記第１の直流電圧と前記第２の直流電圧の何れか一方を負荷に直流出力電圧として供給する選択部とを備えた中継用電源装置において、
前記ＡＣ／ＤＣ変換部，ＤＣ／ＤＣ変換部および選択部を、共通するパッケージ本体に収容して構成したことを特徴とする中継用電源装置。
【請求項２】
前記パッケージ本体に冷却用のファンを備えたことを特徴とする請求項１記載の中継用電源装置。
【請求項３】
前記ファンが前記直流出力電圧により駆動するものであることを特徴とする請求項２記載の中継用電源装置。
【発明の詳細な説明】
【０００１】
【発明の属する技術分野】
本発明は、商用交流電源（ＡＣ１００ＶまたはＡＣ２００Ｖ）と、直流電源である例えば局舎電源（ＤＣ＋４８Ｖ）のどちらでも動作可能とした中継用電源装置に関する。
【０００２】
【従来の技術】
例えば地上波デジタル放送用電源装置として、各放送局の親局や中継局に設置される中継用電源装置は、局舎に予め設備された商用交流電源と直流電源からの各給電を利用して、負荷である送信機，変調機，アンプなどの放送用機器に、所定の直流出力電圧を供給するようにしている。
【０００３】
図５は、放送局の親局や中継局に設置される中継用電源装置の構成を示すものである。１は例えば単相のＡＣ１００Ｖ若しくはＡＣ２００Ｖの交流入力電圧を生成する商用交流電源、２は例えばＤＣ＋４８Ｖの直流入力電圧を生成するバッテリなどの直流電源たる局舎電源で、これらの交流入力電圧と直流入力電圧が、交流入力電圧ライン３と直流入力電圧ライン４を通して中継用電源装置５にそれぞれ供給される。６はＡＣ／ＤＣ変換部としての整流部であって、これは前記交流入力電圧を第１の直流電圧ＶＤＣ１に変換するものであり、第１の直流電圧ＶＤＣ１が発生する整流部５の出力端子には、選択部７を構成する第１のダイオード７Ａが順方向に接続される。また、直流入力電圧ライン４にも選択部７を構成する別の第２のダイオード７Ｂが順方向に接続され、ダイオード７Ａ，７Ｂのカソードどうしを繋いだ接続点と、前述した放送用機器としての負荷８との間に出力電圧ライン９が接続される。
【０００４】
そして、整流部６からの第１の直流電圧ＶＤＣ１と、直流電源２からの第２の直流電圧ＶＤＣ２が、それぞれのダイオード７Ａ，７Ｂを通して選択部７でつき合わされ、第１の直流電圧ＶＤＣ１が第２の直流電圧ＶＤＣ２よりも高ければ、第１のダイオード７Ａが導通する一方で第２のダイオード７Ｂが非導通となって、第１の直流電圧ＶＤＣ１が直流出力電圧Ｖｏｕｔとして負荷８に供給される。逆に、第２の直流電圧ＶＤＣ２が第１の直流電圧ＶＤＣ１よりも高ければ、第２のダイオード７Ｂが導通する一方で第１のダイオード７Ａが非導通となって、第２の直流電圧ＶＤＣ２が直流出力電圧Ｖｏｕｔとして負荷８に供給されるようになっている。
【０００５】
上記図５に示す構成では、商用交流電源１から給電が行なわれる通常時には、整流部６からの第１の直流電圧ＶＤＣ１が負荷８に供給され、商用交流電源１の給電が停止したとき（停電時）にのみ、局舎電源２からのバッテリ電圧が負荷８に供給されるように設定される。しかしそれは、局舎電源２のバッテリ電圧が安定しているごく僅かな安定局舎の場合であって、大多数の非安定局舎は、局舎電源２の長寿命化を図るために、外気温度，充電電圧，充電時間などの要因で、様々な制御が施されている関係で、局舎電源２のバッテリ電圧が例えば４０〜６０Ｖの範囲で大きく変動しており、商用交流電源１の給電時に、ＶＤＣ１＞ＶＤＣ２の場合にだけしか第１の直流電圧ＶＤＣ１を負荷８に常時供給することはできない。そのため、バッテリ電圧のバラツキに伴って局舎電源２が頻繁に放電を繰り返し、局舎電源２の容量不足あるいは寿命を短くする要因となっていた。
【０００６】
このような問題を解決するには、例えば特許文献１にも示すように、局舎電源２と第２のダイオード７Ｂとに間にＤＣ／ＤＣ変換部としてのＤＣ／ＤＣコンバータ１１（図３の破線参照）を介在させ、局舎電源２からの直流入力電圧を安定した第２の直流電圧ＶＤＣ２に変換して、後段の選択部７に送出するものが考えられている。こうすれば、局舎電源２のバッテリ電圧が不安定な非安定局舎であっても、ＤＣ／ＤＣコンバータ１１からの第２の直流電圧ＶＤＣ２が安定化されるため、商用交流電源１から給電が行なわれる通常時に、局舎電源２が頻繁に放電を繰り返す不具合を効果的に防止できる。
【０００７】
【特許文献１】
特開平１１−３３２２３１号公報
【０００８】
【発明が解決しようとする課題】
上述したような商用交流電源１と局舎電源２のそれぞれから給電が行なわれる中継用電源装置５にあっては、局舎電源２からのバッテリ電圧の安定度に拘らず、交流入力電圧を第１の直流電圧ＶＤＣ１に変換する整流部６と、第１および第２の直流電圧ＶＤＣ１，ＶＤＣ２の何れか一方を直流出力電圧Ｖｏｕｔとして供給する選択部７が、必須の構成として予め局舎などの通信施設に設置される。したがって、ＤＣ／ＤＣコンバータ１１は、局舎電源２のバッテリ電圧が不安定な場合に、独立したユニットとして後付けで設置されるのが一般的である。しかし、これでは整流部６や選択部７の設置作業と、ＤＣ／ＤＣコンバータ１１の設置作業とを別々に行なわざるを得ないため、作業性が悪く煩わしいという問題があった。
【０００９】
また、地上波アナログ放送から地上波デジタル放送への移行に際しては、双方の放送を一定期間併用することになっているので、既存の地上波アナログ放送用の局舎を極力そのまま利用して、新たな地上波デジタル放送用の各種設備をその局舎に組み込みたいという要望が極めて強い。しかし、負荷８である放送用機器の容量は比較的大きく、中継用電源装置５にＤＣ／ＤＣコンバータ１１を組み込んだ場合は、このＤＣ／ＤＣコンバータ１１から熱が多量に放散するため、整流部６への熱影響を考慮して、整流部６とＤＣ／ＤＣコンバータ１１をある程度離して設置せざるを得ない。そのため、中継用電源装置５として多くのスペースを必要とし、既存の地上波アナログ放送用の局舎に中継用電源装置５をそのまま組み込めないという問題が発生していた。
【００１０】
さらに、従来の中継用電源装置５として整流部６に設けられる冷却用のファンは、商用交流電源１の停電時に整流部６が非動作となることから、安価な交流駆動のものが採用されていた。しかし、中継用電源装置５に上述のＤＣ／ＤＣコンバータ１１を配置した場合、商用交流電源１の停電時にはファンも停止するため、ＤＣ／ＤＣコンバータ１１に発熱が生じて大きな放熱フィンを設ける必要がある。
そのため、ＤＣ／ＤＣコンバータ１１に設けた大きな放熱フィンにより、装置が大型化するという問題も生じていた。
【００１１】
そこで本発明は上記問題点に鑑み、ＡＣ／ＤＣ変換部および選択部の設置作業と、ＤＣ／ＤＣ変換部の設置作業を共通に行なうことができ、設置に際しての作業性を大幅に改善できる中継用電源装置を提供することをその目的とする。
【００１２】
また本発明の第２の目的は、ＤＣ／ＤＣ変換部による熱影響を排除して装置の小型化を達成できる中継用電源装置を提供することにある。
【００１３】
また本発明の第３の目的は、商用交流電源の停電時にもＤＣ／ＤＣ変換部からの熱を効果的に放散できる中継用電源装置を提供することにある。
【００１４】
【課題を解決するための手段】
本発明の請求項１の中継用電源装置は、商用交流電源からの交流入力電圧と、直流電源からの直流入力電圧がそれぞれ供給される箇所に設けられ、前記交流入力電圧を第１の直流電圧に変換するＡＣ／ＤＣ変換部と、前記直流入力電圧を第２の直流電圧に変換するＤＣ／ＤＣ変換部と、前記第１の直流電圧と前記第２の直流電圧の何れか一方を負荷に直流出力電圧として供給する選択部とを備えた中継用電源装置において、前記ＡＣ／ＤＣ変換部，ＤＣ／ＤＣ変換部および選択部を、共通するパッケージ本体に収容して構成したものである。
【００１５】
この場合、中継用電源装置を構成するＡＣ／ＤＣ変換部，ＤＣ／ＤＣ変換部および選択部の全てが、一つのパッケージ本体に収容された状態となっているので、商用交流電源からの交流入力電圧と、直流電源からの直流入力電圧がそれぞれ供給される箇所に、このパッケージ本体を設置して据付けや配線などを行なえば、ＤＣ／ＤＣ変換部を含めた一連の設置作業を一度に行なうことができる。したがって、ＡＣ／ＤＣ変換部および選択部の設置作業と、ＤＣ／ＤＣ変換部の設置作業を共通に行なうことができ、設置に際しての作業性を大幅に改善することが可能になる。
【００１６】
本発明の請求項２の中継用電源装置は、パッケージ本体に冷却用のファンを備えたものである。
【００１７】
このようにすると、ＤＣ／ＤＣ変換部からパッケージ本体内に放散する熱が、ファンによって速やかに外部に放出され、パッケージ本体内の温度上昇を抑えることができる。したがって、ＤＣ／ＤＣ変換部とＡＣ／ＤＣ変換部とをパッケージ本体内で近接して配置することが可能になり、ＤＣ／ＤＣ変換部による熱影響を排除して、装置全体の小型化を達成できる。これにより、とりわけ空きスペースが制限された地上波デジタル放送局の局舎においては、各種放送用機器に必要な電力を供給する中継用電源装置の占有スペースを極力小さくすることができ、局舎を新築または増築するなどの二次的なコスト増大を低減することができる。
【００１８】
本発明の請求項３の中継用電源装置は、前記ファンが前記直流出力電圧により駆動するものであることを特徴とする。
【００１９】
この場合、冷却用のファンが、ＡＣ／ＤＣ変換部若しくはＤＣ／ＤＣ変換部から供給される直流出力電圧によって駆動するので、商用交流電源の停電時においても直流電源からＤＣ／ＤＣ変換部を介して出力される第２の直流電圧を利用して、ファンを動作させ続けることが可能になり、従来よりも小型の放熱フィンを装着するなどして、ＤＣ／ＤＣ変換部からの熱を効果的に放散できる。
【００２０】
【発明の実施形態】
以下、本発明の好ましい中継用電源装置の一実施例について、添付図面である図１および図２を参照して詳細に説明する。なお、従来例に示した図３と同一部分には同一符号を付し、共通する箇所の説明は重複するため省略する。
【００２１】
装置の全体構成を示す図１において、２１は前述した整流部６，選択部７およびＤＣ／ＤＣコンバータ１１を共に収容する単独のパッケージ本体で、このパッケージ本体２１には、商用交流電源１に接続する交流入力端子２２と、局舎電源２に接続する直流入力端子２３と、出力電圧ライン９を介して負荷８に接続する出力端子２４が、例えば背面にそれぞれ露出して設けられる。また、２５はパッケージ本体２１内で温められた空気をパッケージ本体２１の外部に放出する冷却用のファンで、これは好ましくは商用交流電源１の停電時にも直流出力電圧Ｖｏｕｔの供給を受けて動作するＤＣ軸流ファンなどにより構成される。
【００２２】
ＡＣ／ＤＣ変換部としての整流部６は、交流入力端子２２に供給される商用交流電源１からの交流入力電圧を、第１の直流電圧ＶＤＣ１に整流変換する機能を有する。また、ＤＣ／ＤＣコンバータ１１は、直流入力端子２３に供給される局舎電源２からの直流入力電圧を、安定した第２の直流電圧ＶＤＣ２に変換する機能を有する。交流入力端子２２から整流部６の入力端子に至る交流入力電圧ライン３と、直流入力端子２３からＤＣ／ＤＣコンバータ１１の入力端子に至る直流入力電圧ライン４には、それぞれ工具である電圧計（図示せず）のテストバーが接触可能な導電性のチェックピン２７，２８が設けられる。ダイオード７Ａ，７Ｂにより構成される選択部７は、整流部６からの第１の直流電圧ＶＤＣ１と、ＤＣ／ＤＣコンバータ１１からの第２の直流電圧ＶＤＣ２とをつき合せ、電圧値の高い何れか一方を直流出力電圧Ｖｏｕｔとして出力端子２４およびファン２５に供給するものである。
【００２３】
パッケージ本体２１の内部には、前記整流部６，選択部７およびＤＣ／ＤＣコンバータ１１の他に、中継用電源装置５の各部を監視する監視部３１が設けられる。本実施例における監視部３１は、交流入力端子２２からの交流入力電圧が正常の範囲内であるか否かを監視する第１の監視部３１Ａと、直流入力端子２３からの直流入力電圧が正常の範囲内であるか否かを監視する第２の監視部３１Ｂと、出力端子２４に供給する直流出力電圧Ｖｏｕｔが正常の範囲内であるか否かを監視する第３の監視部３１Ｃと、ファン２５の回転数に基づきその動作状態が正常の範囲内であるか否かを監視する第４の監視部３１Ｄとにより構成され、第１〜第４の各監視部３１Ａ〜３１Ｄの監視結果が、パッケージ本体２１の正面に設けられた表示部３２に出力されると共に、接点監視信号として例えばＤ−Ｓｕｂコネクタからなる外部通信用の信号出力部３３に出力されるようになっている。
【００２４】
次に、中継用電源装置５の外観を含めた構成を図２に基づき説明する。同図において、４１は横長の柱部材４２を一対の壁部材４３の間に上下複数段取付けて構成されるラックで、柱部材４２には所定のピッチで取付孔４４が設けられている。この取付孔４４は、丸孔若しくは長孔で形成される。中継用電源装置５のパッケージ本体２１は、出力容量の大小に拘らず同一の外形形状をなし、その上面および下面には、Ｌ字形に折り曲げられた取付金具４６が設けられる。取付金具４６には、前記取付孔４４に対応する位置に複数の孔４７が開口形成されていて、柱部材４２に取付金具４６が当接する位置にまで、パッケージ本体２１をラック４１に挿入した後、柱部材４２の取付孔４４と取付金具４６の孔４７とを合わせた状態で、これらの孔４７および取付孔４４にねじ４８を螺着することで、パッケージ本体２１をラック４１の柱部材４２間に取付け固定することができる。なお、取付金具４６はパッケージ本体２１と一体に形成してもよい。
【００２５】
パッケージ本体２１の正面には、前記表示部３２を構成する複数のＬＥＤ３２Ａ〜３２Ｄが設けられている。３２Ａは、交流入力電圧が正常に給電されているか否かを表示する交流入力表示ＬＥＤで、交流入力電圧が正常に給電されていれば緑色の点灯表示を行ない、そうでなければ赤色の点灯表示を行なうものである。また３２Ｂは、直流入力電圧が正常に給電されているか否かを表示する直流入力表示ＬＥＤで、直流入力電圧が正常に給電されていれば緑色の点灯表示を行ない、そうでなければ赤色の点灯表示を行なうものである。また３２Ｃは、直流出力電圧Ｖｏｕｔが正常に給電されているか否かを表示する直流出力表示ＬＥＤで、直流出力電圧が正常に給電されていれば緑色の点灯表示を行ない、そうでなければ赤色の点灯表示を行なうものである。さらに３２Ｄは、ファン２５が正常に動作しているか否かを表示する動作表示ＬＥＤで、直流出力電圧が正常に給電されていれば緑色の点灯表示を行ない、そうでなければ赤色の点灯表示を行なうものである。
【００２６】
なお、こうしたＬＥＤ３２Ａ〜３２Ｄの点灯の仕方は、種々の変更が可能であり、各ＬＥＤ３２Ａ〜３２Ｄの点灯位置も、実施例中のものに限られない。また表示部３２としてＬＥＤ３２Ａ〜３２Ｄ以外の表示素子を利用してもよい。さらに、操作部（図示せず）を特殊に操作することによって、監視部３１のテストモードを呼び出し、異常時のエラーコードを表示部３２で見れるようにしてもよい。
【００２７】
パッケージ本体２１にはその他に、パッケージ本体２１を分解せずに前記チェックピン２７，２８にテストバーを当てられるように、チェックピン２７，２８の配設位置に対応して窓孔４９がパッケージ本体２１の側面に開口形成される。これにより、ねじ４８を外してパッケージ本体２１をラック４１の途中まで引き出せば、窓孔４９よりテストバーを差し入れて、交流入力電圧や直流入力電圧の実測値を簡単に知ることができる。なお、５０はパッケージ本体２１内外の通気を促進するためのスリット孔である。
【００２８】
そして本実施例では、商用交流電源１からの交流入力電圧が、交流入力端子２２を介して整流部６に供給されると、整流部６はこの交流入力電圧を第１の直流電圧ＶＤＣ１に変換する。またＤＣ／ＤＣコンバータ１１は、局舎電源２から直流入力端子２３を介して供給される直流入力電圧を、安定した第２の直流電圧ＶＤＣ２に変換する。整流部６からの第１の直流電圧ＶＤＣ１と、直流電源２からの第２の直流電圧ＶＤＣ２は、それぞれのダイオード７Ａ，７Ｂを通して選択部７でつき合わされるが、通常のＡＣ給電時には第１の直流電圧ＶＤＣ１が第２の直流電圧ＶＤＣ２よりも高くなるように設定され、第１のダイオード７Ａが導通する一方で第２のダイオード７Ｂが非導通となって、第１の直流電圧ＶＤＣ１が直流出力電圧Ｖｏｕｔとして負荷８に供給される。逆に、第２の直流電圧ＶＤＣ２が第１の直流電圧ＶＤＣ１よりも高ければ、第２のダイオード７Ｂが導通する一方で第１のダイオード７Ａが非導通となって、第２の直流電圧ＶＤＣ２が直流出力電圧Ｖｏｕｔとして負荷８に供給される。
【００２９】
なお、ＤＣ／ＤＣコンバータ１１からの第２の直流電圧ＶＤＣ２を検出し、整流部６から第２の直流電圧ＶＤＣ２以上の第１の直流電圧ＶＤＣ１が出力されるように、整流部６を自動調整する電圧調整手段を中継用電源装置５内に備えてもよい。
【００３０】
商用交流電源１から給電が行なわれる通常時には、整流部６からの第１の直流電圧ＶＤＣ１よりもＤＣ／ＤＣコンバータ１１からの第２の直流電圧ＶＤＣ２が僅かに低くなるように設定されているので、局舎電源２のバッテリ電圧が不安定であっても、局舎電源２が頻繁に放電を繰り返すことはない。一方、商用交流電源１の停電時には、ＤＣ／ＤＣコンバータ１１からの第２の直流電圧ＶＤＣ２が、ダイオード７Ｂを通して負荷８である放送用機器に供給され、放送を支障なく継続することができる。
【００３１】
こうした一連の動作中に、監視部３１は交流入力電圧，直流入力電圧，直流出力電圧Ｖｏｕｔ，ファン２５の回転数をそれぞれ監視し、その結果を表示部３２に表示させると共に、信号出力部３３を通して外部の機器に通知する。例えば、全てのＬＥＤ３２Ａ〜３２Ｄが緑色に点灯していれば、交流入力電圧，直流入力電圧，直流出力電圧Ｖｏｕｔ，ファン２５の回転数について、正常な範囲内にあると判断できるが、交流入力表示ＬＥＤ３２Ａが赤色に点灯している場合は、商用交流電源１が停電したと判断することができる。また、動作表示ＬＥＤ３２Ｄが赤色に点灯している場合は、ファン２５を交換する必要があると判断できる。いずれにせよ、パッケージ本体２１をラック４１に取付けた状態では、ラック４１の正面側から表示部３２を直接視認することができるので、交流入力電圧，直流入力電圧，直流出力電圧Ｖｏｕｔおよびファンの動作が正常であるか否かを直ちに知ることができる。
【００３２】
また、交流入力表示ＬＥＤ３２Ａや直流入力表示ＬＥＤ３２Ｂの表示とは別に、実際の交流入力電圧や直流入力電圧の値を正確に知りたい場合には、パッケージ本体２１の外部に露出するチェックピン２７，２８を利用すればよい。その場合は、パッケージ本体２１を取付け固定するねじ４８を外して、パッケージ本体２１をラック４１の途中まで引き出し、柱部材４２より前方に移動した窓孔４９よりテストバーを差し入れて、このテストバーをチェックピン２７，２８に当てれば、交流入力電圧や直流入力電圧の実測値を簡単に知ることができる。
【００３３】
次に、機構的な部分の特徴を説明すると、本実施例では、商用交流電源１からの交流入力電圧ライン３と、局舎電源２からの直流入力電圧ライン４が引き込まれた箇所で、中継用電源装置５を設置する際に、局舎電源２の安定度とは無関係に必要とされる整流部６および選択部７の設置作業と、特に局舎電源２のバッテリ電圧が不安定な場合に必要とされるＤＣ／ＤＣコンバータ１１の設置作業を一度に行なえるようにするために、これらの整流部６，選択部７およびＤＣ／ＤＣコンバータ１１を、共通する一つのパッケージ本体２１に収容している。これにより、パッケージ本体２１に設けた交流入力端子２２に交流入力電圧ライン３を接続し、直流入力端子２３に直流入力電圧ライン４を接続し、さらに負荷８に繋がる出力電圧ライン９を出力電圧端子２４に接続するだけで、ＤＣ／ＤＣコンバータ１１を含む中継用電源装置５としての全ての設置作業を完了することができる。
【００３４】
さらに、本実施例のパッケージ本体２１は、他の放送用機器と共にラック４１への収納を可能とするために、規格化された柱部材４２の上下間の寸法と、取付孔４４のピッチに合せて、孔４７付きの取付金具４６を備えている。これにより、中継用電源装置５のパッケージ本体２１を他の放送用機器と共に、同じラック４１に整然と収納することができる。
【００３５】
また、パッケージ本体２１内に発熱するＤＣ／ＤＣコンバータ１１が収容されているにも拘らず、パッケージ本体２１の内部空気は直流出力電圧Ｖｏｕｔがファン２５に供給されている限り、このファン２５を通して外部に絶えず放出されるので、パッケージ本体２１の内部でＤＣ／ＤＣコンバータ１１に近接して整流部６や選択部７などを配置しても、ＤＣ／ＤＣコンバータ１１による熱影響を排除して、パッケージ本体２１ひいては中継用電源装置５の小型化を図ることができる。さらに、近年はファン２５が長寿命化して、簡単にファン２５が動作不良に陥ることは少なくなったが、万一に備えてファン２５の回転数を監視部３１で監視し、例えば所定の回転数以下となった場合に、その結果を表示部３２で表示させるようにしているので、負荷８である放送用機器のシステムダウンを未然に防止できる。
【００３６】
図３には、特に好ましいファン２５の配置例を示している。同図において、パッケージ本体２１内には、整流部６側から風を吸い込んで、ＤＣ／ＤＣコンバータ１１に直接風を当てるように、吸込み側を整流部６に向け、排出側をＤＣ／ＤＣコンバータ１１に向けたファン２５が設けられる。また、７１はパッケージ本体２１の内部に空気を取り込む吸気孔，７２はパッケージ本体２１の外部に空気を排出する排気孔である。ファン２５は前述のように直流出力電圧Ｖｏｕｔにより駆動するＤＣファンであって、商用交流電源１の停電時にもＤＣ／ＤＣコンバータ１１からの第２の直流電圧ＶＤＣ２によって、その動作を維持し続ける。そのため、商用交流電源１の給電時には、整流部６からの熱を奪って整流部６の冷却を行ない、商用交流電源１の停電時には非動作状態の電源部６から冷たい風を取り込んで、これを動作中のＤＣコンバータ１１に直接当てることができるので、ＤＣ／ＤＣコンバータ１１の放熱を最大とすることができる。
【００３７】
さらに図４は、ＤＣ／ＤＣコンバータ１１に放熱フィン７３を取付けた場合におけるファン２５の好ましい配置例を示している。ここでは、ＤＣ／ＤＣコンバータ１１を構成する各発熱素子と熱的に接続して、アルミニウムなどの熱伝導性の良好な金属からなる放熱フィン７３が設けられる。そして、吸気孔７１と排気孔７２との間に、整流部６，ＤＣ／ＤＣコンバータ１１の放熱フィン７３，ファン２５を順に並べて配置する。こうすることにより、ファン２５は整流部６および放熱フィン７３から熱を奪いつつ空気を取り込んで、この温かな空気を排気孔７２からパッケージ本体２１の外部に排気する。それと共に、放熱フィン７３の各フィン部は風の流れを妨げない方向に沿って配置されるため、放熱フィン７３により風の整流を行なって風量を増加させ、ＤＣ／ＤＣコンバータ１１の各発熱素子を効果的に放熱することが可能になる。
【００３８】
さらに前述したように、略矩形状をなすパッケージ本体２１の外形形状は、出力容量の大小に拘らず同一にするのが好ましい。例えば、地上波デジタル放送の局舎に利用する中継用電源装置５は、出力容量が５Ａと１０Ａのものがその大部分を占める。したがって、この２種類の出力容量についてパッケージ本体２１の外形形状を共通化すれば、ラック４１への収納性も高まると共に、中継用電源装置５としての標準化をさらに促進できる。
【００３９】
以上のように本実施例では、特に商用交流電源１からの交流入力電圧と、直流電源である局舎電源２からの直流入力電圧がそれぞれ供給される箇所に設けられるものであって、交流入力電圧を第１の直流電圧ＶＤＣ１に変換するＡＣ／ＤＣ変換部としての整流部６と、直流入力電圧を第２の直流電圧ＶＤＣ２に変換するＤＣ／ＤＣ変換部としてのＤＣ／ＤＣコンバータ１１と、第１の直流電圧ＶＤＣ１と前記第２の直流電圧ＶＤＣ２の何れか高い電圧の方を負荷に直流出力電圧Ｖｏｕｔとして供給する選択部７とを備えた中継用電源装置５において、整流部６，選択部７およびＤＣ／ＤＣコンバータ１１を、共通する独立したパッケージ本体２１に収容して構成している。
【００４０】
この場合、中継用電源装置５を構成する整流部６，選択部７およびＤＣ／ＤＣコンバータ１１の全てが、一つのパッケージ本体２１に収容された状態となっているので、商用交流電源１からの交流入力電圧と、局舎電源２からの直流入力電圧がそれぞれ供給される箇所に、このパッケージ本体２１を設置して据付けや配線などを行なえば、ＤＣ／ＤＣコンバータ１１を含めた一連の設置作業を一度に行なうことができる。したがって、整流部６および選択部７の設置作業と、ＤＣ／ＤＣコンバータ１１の設置作業を共通に行なうことができ、設置に際しての作業性を大幅に改善することが可能になる。
【００４１】
また、このような構成において本実施例では、パッケージ本体２１に冷却用のファン２５を備えている。
【００４２】
このようにすると、ＤＣ／ＤＣコンバータ１１からパッケージ本体２１内に放散する熱が、ファン２５によって速やかに外部に放出され、パッケージ本体２１内の温度上昇を抑えることができる。したがって、ＤＣ／ＤＣコンバータ１１と整流部６とをパッケージ本体２１内で近接して配置することが可能になり、ＤＣ／ＤＣコンバータ１１による熱影響を排除して、中継用電源装置５全体の小型化を達成できる。
これにより、とりわけ空きスペースが制限された地上波デジタル放送局の局舎においては、各種放送用機器に必要な電力を供給する中継用電源装置５の占有スペースを極力小さくすることができ、局舎を新築または増築するなどの二次的なコスト増大を低減することができる。
【００４３】
また本実施例では、ファン２５が直流出力電圧により駆動するものであることを特徴とする。
【００４４】
この場合、冷却用のファン２５が、整流部６若しくはＤＣ／ＤＣコンバータ１１から供給される直流出力電圧Ｖｏｕｔによって駆動するので、商用交流電源１の停電時においても局舎電源２からＤＣ／ＤＣコンバータ１１を介して出力される第２の直流電圧ＶＤＣ２を利用して、ファン２５を動作させ続けることが可能になり、従来よりも小型の放熱フィン７３を装着するなどして、ＤＣ／ＤＣコンバータ１１からの熱を効果的に放散できる。
【００４５】
なお、本発明は上記実施例に限定されるものではなく、本発明の要旨の範囲において種々の変形実施が可能である。例えば、整流部６，選択部７およびＤＣ／ＤＣコンバータ１１内部の各回路構成は、各種の変形が可能である。また本実施例における中継用電源装置は、空きスペースが制約された現状の地上波デジタル放送局の局舎に設置するのが特に好適であるが、商用交流電源からの交流入力電圧と、直流電源からの直流入力電圧がそれぞれ供給される箇所に設置するのであれば、他の施設内でも適用可能である。また、選択部７として、実施例中のダイオード７Ａ，７Ｂに代わり一対の制御端子付きのスイッチ手段を用い、交流入力電圧や直流入力電圧のレベルに応じて、各スイッチ手段のオン，オフを切替える構成としてもよい。
【００４６】
【発明の効果】
請求項１の中継用電源装置によれば、ＡＣ／ＤＣ変換部および選択部の設置作業と、ＤＣ／ＤＣ変換部の設置作業を共通に行なうことができ、設置に際しての作業性を大幅に改善できる。
【００４７】
請求項２の中継用電源装置によれば、ＤＣ／ＤＣ変換部による熱影響を排除して、装置の小型化を達成することが可能になる。そのため、空きスペースの制限された場所で、中継用電源装置の占有スペースを極力小さくすることができ、二次的なコスト増大を低減することができる。
【００４８】
請求項３の中継用電源装置によれば、商用交流電源の停電時にもＤＣ／ＤＣ変換部からの熱を効果的に放散できる。
【図面の簡単な説明】
【図１】本実施例における中継用電源装置の好ましい一例を示すブロック構成図である。
【図２】同上、中継用電源装置をラックに組み込んだ状態の斜視図である。
【図３】同上、好ましいファンの配置例を示す概略説明図である。
【図４】同上、ＤＣ／ＤＣコンバータに放熱フィンを取付けた場合のファンの好ましい配置例を示す概略説明図である。
【図５】従来例における中継用電源装置のブロック構成図である。
【符号の説明】
１  商用交流電源
２  局舎電源（直流電源）
６  整流部（ＡＣ／ＤＣ変換部）
１１  ＤＣ／ＤＣコンバータ（ＤＣ／ＤＣ変換部）
２１  パッケージ本体
２５  ファン
【図１】
2005020883.tif 000003
【図２】
2005020883.tif 000004
【図３】
2005020883.tif 000005
【図４】
2005020883.tif 000006
【図５】
2005020883.tif 000007